【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
通信ネットワークを介して、複数の画像入出力装置と、管理サーバとが相互にデータの送受信を行う画像入出力システムにおいて、
前記管理サーバは、
前記通信ネットワークに接続された画像入出力装置毎に、装置情報、及び前記各画像入出力装置が所有する、前記通信ネットワークに接続された装置間で共有する共有画像データに関する共有データ情報を共有データ管理情報として記憶する記憶手段と、
前記各画像入出力装置から送信された検索要求を受信し、この検索要求内容に基づいて、前記共有データ管理情報を前記記憶手段から検索する検索手段と、
前記検索手段により検索された共有データ管理情報を、前記検索要求を受信した画像入出力装置に送信する管理情報送信手段と、
を備え、
前記各画像入出力装置は、
前記共有画像データを記憶する記憶手段と、
前記管理サーバの記憶手段に記憶された共有データ管理情報の検索要求を前記管理サーバに送信する検索要求送信手段と、
前記管理サーバから送信された共有データ管理情報を受信する管理情報受信手段と、
前記管理情報受信手段により受信された共有データ管理情報に含まれた装置情報に基づいて、当該装置情報に該当する他の画像入出力装置に通信接続し、前記共有画像データの送信を要求する画像データ送信要求手段と、
他の画像入出力装置から送信された前記共有画像データ送信要求を受信し、この要求された共有画像データを前記記憶手段から読み出して前記共有画像データ送信要求を受信した画像入出力装置に送信する画像データ送信手段と、
を備えたことを特徴とする画像入出力システム。
【請求項２】
前記各画像入出力装置は、
前記共有画像データの送信元となる他の画像入出力装置に対して通信接続できない場合に、前記管理サーバに、前記送信元となる他の画像入出力装置に対して自画像入出力装置への通信接続要求を送信するように依頼する接続要求手段を更に備え、
前記管理サーバは、
前記画像入出力装置から送信された通信接続要求を受信し、この通信接続要求内容に応じて、前記送信元となる他の画像入出力装置に、当該通信接続要求された画像入出力装置に対して通信接続するように指示を送信する接続指示送信手段を更に備えたことを特徴とする請求項１記載の画像入出力システム。
【請求項３】
前記管理サーバは、前記各画像入出力装置から通信接続要求を受信した際に、当該通信接続要求を受信した画像入出力装置に対してユーザ認証を行うユーザ認証手段を更に備えたことを特徴とする請求項１又は２記載の画像入出力システム。
【請求項４】
通信ネットワークを介して、複数の画像入出力装置と、管理サーバとが相互にデータの送受信を行う画像入出力システムにおいて、
前記管理サーバは、
前記通信ネットワークに接続された前記各画像入出力装置が記憶し、且つ該各画像入出力装置間で共有する共有画像データに対応する共有データ管理情報を記憶する記憶手段と、
前記各画像入出力装置から送信された所望の共有画像データの検索に係るファイル名またはキーワードを受信し、該検索に係るファイル名またはキーワードに合致する共有画像データに対応する前記共有データ管理情報を前記記憶手段から検索する検索手段と、
前記検索手段による検索結果として、前記検索された共有データ管理情報を、前記検索要求の送信元となる画像入出力装置に送信する管理情報送信手段と、
を備え、
前記画像入出力装置は、
前記検索に係るファイル名またはキーワードを前記管理サーバに送信する検索要求送信手段と、
前記管理サーバから前記検索された共有データ管理情報を受信する管理情報受信手段と、
前記管理情報受信手段により受信された前記共有データ管理情報に基づいて、前記所望の共有画像データを記憶する画像入出力装置との間で通信接続する通信接続手段と、
を備えたことを特徴とする画像入出力システム。
【請求項５】
前記検索された共有データ管理情報は、前記所望の共有画像データを記憶する画像入出力装置のアドレスを含んでおり、前記画像入力装置の前記通信接続手段は、該アドレスに基づいて前記所望の共有画像データを記憶する画像入出力装置との間で通信接続することを特徴とする請求項４に記載の画像入出力システム。
【請求項６】
前記検索された共有データ管理情報は、前記所望の共有画像データを記憶する画像入出力装置のアドレスを含んでおり、前記画像入力装置の前記通信接続手段は、前記管理サーバへ、該アドレスに基づく画像入出力装置との間で通信接続するための接続要求を送信することを特徴とする請求項４に記載の画像入出力システム。
【請求項７】
前記画像入出力装置は、前記所望の共有画像データを記憶する画像入出力装置との間で通信接続した後に、該画像入出力装置が記憶する前記共有画像データを受信することを特徴とする請求項４ないし６のいずれか１つに記載の画像入出力システム。
【請求項８】
前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴とする請求項４ないし６のいずれか１つに記載の画像入出力システム。
【請求項９】
前記画像入力装置は、
前記共有画像データを記憶する記憶手段と、
前記記憶手段に記憶される前記共有画像データを他の画像入出力装置に対して送信する画像データ送信手段と、
を有することを特徴とする請求項４ないし８のいずれか１つに記載の画像入出力システム。
【請求項１０】
通信ネットワークを介して、他の画像入出力装置と管理サーバと接続される画像入出力装置において、
前記通信ネットワークに接続された前記画像入出力装置が記憶する共有画像データに対応する共有データ管理情報を記憶する前記管理サーバに対して、所望の共有画像データの検索に係るファイル名またはキーワードを送信する検索要求送信手段と、
該検索に係るファイル名またはキーワードに合致する共有画像データに対応する前記共有データ管理情報を前記管理サーバから受信する管理情報受信手段と、
前記管理情報受信手段により受信された前記共有データ管理情報に基づいて、前記所望の共有画像データを記憶する画像入出力装置との間で通信接続する通信接続手段と
を備えたことを特徴とする画像入出力装置。
【請求項１１】
前記検索された共有データ管理情報は、前記所望の共有画像データを記憶する画像入出力装置のアドレスを含んでおり、前記通信接続手段は、該アドレスに基づいて前記所望の共有画像データを記憶する画像入出力装置との間で通信接続することを特徴とする請求項１０に記載の画像入出力装置。
【請求項１２】
前記検索された共有データ管理情報は、前記所望の共有画像データを記憶する画像入出力装置のアドレスを含んでおり、前記通信接続手段は、前記管理サーバへ、該アドレスに基づく画像入出力装置との間で通信接続するための接続要求を送信することを特徴とする請求項１０に記載の画像入出力装置。
【請求項１３】
前記画像入出力装置は、前記所望の共有画像データを記憶する画像入出力装置との間で通信接続した後に、該画像入出力装置が記憶する前記共有画像データを受信することを特徴とする請求項１０ないし１２のいずれか１つに記載の画像入出力装置。
【請求項１４】
前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴とする請求項１０ないし１２のいずれか１つに記載の画像入出力装置。
【請求項１５】
前記画像入力装置は、
前記共有画像データを記憶する記憶手段と、
前記記憶手段に記憶される前記共有画像データを他の画像入出力装置に対して送信する画像データ送信手段と、
を有することを特徴とする請求項１０ないし１４のいずれか１つに記載の画像入出力装置。
【請求項１６】
通信ネットワークを介して、複数の画像入出力装置と、管理サーバとが相互にデータの送受信を行う画像入出力システムにおいて、
前記画像入出力装置は、
前記複数の画像入出力装置間で共有する共有画像データを記憶する記憶手段と、
前記共有画像データに対応する共有データ管理情報を前記管理サーバに送信する通信手段とを備え、
前記管理サーバは、
前記共有データ管理情報を記憶する記憶手段と、
前記各画像入出力装置から送信された所望の共有画像データの検索に係るファイル名またはキーワードを受信し、該検索に係るファイル名またはキーワードに合致する共有画像データに対応する前記共有データ管理情報を前記記憶手段から検索する検索手段と、
前記検索手段による検索結果として、前記検索された共有データ管理情報を、前記検索要求の送信元となる画像入出力装置に送信する管理情報送信手段と、
を備え、
前記画像入出力装置の前記通信手段は、前記検索された共有データ管理情報に基づいて前記共有画像データを要求する他の画像入出力装置に対して、前記記憶手段に記憶される前記共有画像データを送信することを特徴とする画像入出力システム。
【請求項１７】
前記検索された共有データ管理情報は、前記所望の共有画像データを記憶する画像入出力装置のアドレスを含んでおり、該共有管理情報を受信した前記画像入力装置は、前記通信手段にて、該アドレスに基づいて前記所望の共有画像データを記憶する画像入出力装置との間で通信接続することを特徴とする請求項１６に記載の画像入出力システム。
【請求項１８】
前記検索された共有データ管理情報は、前記所望の共有画像データを記憶する画像入出力装置のアドレスを含んでおり、該共有管理情報を受信した前記画像入力装置は、前記通信手段にて、前記管理サーバへ、該アドレスに基づく画像入出力装置との間で通信接続するための接続要求を送信することを特徴とする請求項１６に記載の画像入出力システム。
【請求項１９】
前記画像入出力装置は、前記所望の共有画像データを記憶する画像入出力装置との間で通信接続した後に、該画像入出力装置が記憶する前記共有画像データを受信することを特徴とする請求項１６ないし１８のいずれか１つに記載の画像入出力システム。
【請求項２０】
前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴とする請求項１６ないし１８のいずれか１つに記載の画像入出力システム。
【請求項２１】
前記画像入力装置の前記通信手段は、
前記検索に係るファイル名またはキーワードを前記管理サーバに送信し、
前記管理サーバから前記検索された共有データ管理情報を受信し、
前記受信された前記共有データ管理情報に基づいて、前記所望の共有画像データを記憶する画像入出力装置との間で通信接続する
ことを特徴とする請求項１６ないし２０のいずれか１つに記載の画像入出力システム。
【手続補正２】
【補正対象書類名】明細書
【補正対象項目名】００１０
【補正方法】変更
【補正の内容】
【００１０】
請求項２記載の発明によれば、各画像入出力装置は、共有画像データの送信元となる他の画像入出力装置に対して通信接続できない場合に、管理サーバに、送信元となる他の画像入出力装置に対して自画像入出力装置への通信接続要求を送信するように依頼する。他の画像入出力装置への通信接続要求を受信した管理サーバは、その内容に応じて、送信元となる他の画像入出力装置に、当該接続要求された画像入出力装置に対して通信接続するように指示を送信する。従って、各画像入出力装置は、共有画像データの送信元となる他の画像入出力装置がファイヤーウォール下にある等により通信接続できない場合であっても、管理サーバを介して通信接続を確立することにより、送信元となる他の画像入出力装置とピアツーピア接続を行って共有画像データの送受信を行うことができる。
【手続補正３】
【補正対象書類名】明細書
【補正対象項目名】００１１
【補正方法】変更
【補正の内容】
【００１１】
請求項３記載の発明は、請求項１又は２記載の発明において、
前記管理サーバは、前記各画像入出力装置から通信接続要求を受信した際に、当該通信接続要求を受信した画像入出力装置に対してユーザ認証を行うユーザ認証手段を更に備えたことを特徴としている。
請求項３記載の発明によれば、管理サーバは、各画像入出力装置から通信接続要求を受信した際に、通信接続要求した画像入出力装置のユーザ認証を行う。従って、セキュリティが確保された画像入出力システムを提供することができる。
【手続補正４】
【補正対象書類名】明細書
【補正対象項目名】００１２
【補正方法】変更
【補正の内容】
【００１２】
請求項４に記載の発明は、通信ネットワークを介して、複数の画像入出力装置と、管理サーバとが相互にデータの送受信を行う画像入出力システムにおいて、前記管理サーバは、
前記通信ネットワークに接続された前記各画像入出力装置が記憶し、且つ該各画像入出力装置間で共有する共有画像データに対応する共有データ管理情報を記憶する記憶手段と、前記各画像入出力装置から送信された所望の共有画像データの検索に係るファイル名またはキーワードを受信し、該検索に係るファイル名またはキーワードに合致する共有画像データに対応する前記共有データ管理情報を前記記憶手段から検索する検索手段と、前記検索手段による検索結果として、前記検索された共有データ管理情報を、前記検索要求の送信元となる画像入出力装置に送信する管理情報送信手段と、を備え、前記画像入出力装置は、前記検索に係るファイル名またはキーワードを前記管理サーバに送信する検索要求送信手段と、前記管理サーバから前記検索された共有データ管理情報を受信する管理情報受信手段と、前記管理情報受信手段により受信された前記共有データ管理情報に基づいて、前記所望の共有画像データを記憶する画像入出力装置との間で通信接続する通信接続手段と、を備えたことを特徴としている。
請求項５に記載の発明は、請求項４に記載の発明において、前記検索された共有データ管理情報は、前記所望の共有画像データを記憶する画像入出力装置のアドレスを含んでおり、前記画像入力装置の前記通信接続手段は、該アドレスに基づいて前記所望の共有画像データを記憶する画像入出力装置との間で通信接続することを特徴としている。
請求項６に記載の発明は、請求項４に記載の発明において、前記検索された共有データ管理情報は、前記所望の共有画像データを記憶する画像入出力装置のアドレスを含んでおり、前記画像入力装置の前記通信接続手段は、前記管理サーバへ、該アドレスに基づく画像入出力装置との間で通信接続するための接続要求を送信することを特徴としている。
請求項７に記載の発明は、請求項４ないし６のいずれか１つに記載の発明において、前記画像入出力装置は、前記所望の共有画像データを記憶する画像入出力装置との間で通信接続した後に、該画像入出力装置が記憶する前記共有画像データを受信することを特徴としている。
請求項８に記載の発明は、請求項４ないし６のいずれか１つに記載の発明において、前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴としている。
請求項９に記載の発明は、請求項４ないし８のいずれか１つに記載の発明において、前記画像入力装置は、前記共有画像データを記憶する記憶手段と、前記記憶手段に記憶される前記共有画像データを他の画像入出力装置に対して送信する画像データ送信手段と、を有することを特徴としている。
請求項１０に記載の発明は、通信ネットワークを介して、他の画像入出力装置と管理サーバと接続される画像入出力装置において、前記通信ネットワークに接続された前記画像入出力装置が記憶する共有画像データに対応する共有データ管理情報を記憶する前記管理サーバに対して、所望の共有画像データの検索に係るファイル名またはキーワードを送信する検索要求送信手段と、該検索に係るファイル名またはキーワードに合致する共有画像データに対応する前記共有データ管理情報を前記管理サーバから受信する管理情報受信手段と、前記管理情報受信手段により受信された前記共有データ管理情報に基づいて、前記所望の共有画像データを記憶する画像入出力装置との間で通信接続する通信接続手段と、を備えたことを特徴としている。
請求項１１に記載の発明は、請求項１０に記載の発明において、前記検索された共有データ管理情報は、前記所望の共有画像データを記憶する画像入出力装置のアドレスを含んでおり、前記通信接続手段は、該アドレスに基づいて前記所望の共有画像データを記憶する画像入出力装置との間で通信接続することを特徴としている。
請求項１２に記載の発明は、請求項１０に記載の発明において、前記検索された共有データ管理情報は、前記所望の共有画像データを記憶する画像入出力装置のアドレスを含んでおり、前記通信接続手段は、前記管理サーバへ、該アドレスに基づく画像入出力装置との間で通信接続するための接続要求を送信することを特徴としている。
請求項１３に記載の発明は、請求項１０ないし１２のいずれか１つに記載の発明において、前記画像入出力装置は、前記所望の共有画像データを記憶する画像入出力装置との間で通信接続した後に、該画像入出力装置が記憶する前記共有画像データを受信することを特徴としている。
請求項１４に記載の発明は、請求項１０ないし１２のいずれか１つに記載の発明において、前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴としている。
請求項１５に記載の発明は、請求項１０ないし１４のいずれか１つに記載の発明において、前記画像入力装置は、前記共有画像データを記憶する記憶手段と、前記記憶手段に記憶される前記共有画像データを他の画像入出力装置に対して送信する画像データ送信手段と、を有することを特徴としている。
請求項１６に記載の発明は、通信ネットワークを介して、複数の画像入出力装置と、管理サーバとが相互にデータの送受信を行う画像入出力システムにおいて、前記画像入出力装置は、前記複数の画像入出力装置間で共有する共有画像データを記憶する記憶手段と、前記共有画像データに対応する共有データ管理情報を前記管理サーバに送信する通信手段とを備え、前記管理サーバは、前記共有データ管理情報を記憶する記憶手段と、前記各画像入出力装置から送信された所望の共有画像データの検索に係るファイル名またはキーワードを受信し、該検索に係るファイル名またはキーワードに合致する共有画像データに対応する前記共有データ管理情報を前記記憶手段から検索する検索手段と、前記検索手段による検索結果として、前記検索された共有データ管理情報を、前記検索要求の送信元となる画像入出力装置に送信する管理情報送信手段と、を備え、前記画像入出力装置の前記通信手段は、前記検索された共有データ管理情報に基づいて前記共有画像データを要求する他の画像入出力装置に対して、前記記憶手段に記憶される前記共有画像データを送信することを特徴としている。
請求項１７に記載の発明は、請求項１６に記載の発明において、前記検索された共有データ管理情報は、前記所望の共有画像データを記憶する画像入出力装置のアドレスを含んでおり、該共有管理情報を受信した前記画像入力装置は、前記通信手段にて、該アドレスに基づいて前記所望の共有画像データを記憶する画像入出力装置との間で通信接続することを特徴としている。
請求項１８に記載の発明は、請求項１６に記載の発明において、前記検索された共有データ管理情報は、前記所望の共有画像データを記憶する画像入出力装置のアドレスを含んでおり、該共有管理情報を受信した前記画像入力装置は、前記通信手段にて、前記管理サーバへ、該アドレスに基づく画像入出力装置との間で通信接続するための接続要求を送信することを特徴としている。
請求項１９に記載の発明は、請求項１６ないし１８のいずれか１つに記載の発明において、前記画像入出力装置は、前記所望の共有画像データを記憶する画像入出力装置との間で通信接続した後に、該画像入出力装置が記憶する前記共有画像データを受信することを特徴としている。
請求項２０に記載の発明は、請求項１６ないし１８のいずれか１つに記載の発明において、前記画像入出力装置は、前記所望の共有画像データを記憶する画像入出力装置との間で通信接続した後に、該所望の共有画像データを記憶する画像入出力装置にて、該共有画像データに基づく印刷出力をさせることを特徴としている。
請求項２１に記載の発明は、請求項１６ないし２０のいずれか１つに記載の発明において、前記画像入力装置の前記通信手段は、前記検索に係るファイル名またはキーワードを前記管理サーバに送信し、前記管理サーバから前記検索された共有データ管理情報を受信し、前記受信された前記共有データ管理情報に基づいて、前記所望の共有画像データを記憶する画像入出力装置との間で通信接続することを特徴としている。
請求項４〜２１に記載の発明によれば、各画像入出力装置は、所望の共有画像データを記憶する画像入出力装置と直接ピアツーピア接続を行って、所望の共有画像データを受信したり、所望の共有画像データに基づく印刷出力させたりすることができるので、従来の、管理サーバによる画像データの一括管理時に比べ、管理サーバへの負荷が軽減される。また、通信速度も管理サーバに依存しないですむようになる。また、請求項６、１２、１８に記載の発明によれば、各画像入出力装置は、所望の共有画像データを記憶する画像入出力装置がファイヤーウォール下にある等により通信接続できない場合であっても、管理サーバを介して接続要求を行って、所望の共有画像データを記憶する画像入出力装置とピアツーピア接続を行うことが可能となる。
【手続補正５】
【補正対象書類名】明細書
【補正対象項目名】００１４
【補正方法】変更
【補正の内容】
【００１４】
また、画像入出力装置２ａ及び２ｂの記憶部２８は、記憶手段としての機能を有し、通信制御部２９は、管理情報受信手段、通信接続手段及び通信手段としての機能を有し、制御部２１は、通信制御部２９を制御することにより、検索要求送信手段、画像データ送信要求手段、画像データ送信手段、及び接続要求手段としての機能を有する。
【手続補正６】
【補正対象書類名】明細書
【補正対象項目名】００７５
【補正方法】変更
【補正の内容】
【００７５】
請求項２記載の発明によれば、各画像入出力装置は、共有画像データの送信元となる他の画像入出力装置に対して通信接続できない場合に、管理サーバに、送信元となる他の画像入出力装置に対して自画像入出力装置への通信接続要求を送信するように依頼する。他の画像入出力装置への通信接続要求を受信した管理サーバは、その内容に応じて、送信元となる他の画像入出力装置に、当該接続要求された画像入出力装置に対して通信接続するように指示を送信する。従って、各画像入出力装置は、共有画像データの送信元となる他の画像入出力装置がファイヤーウォール下にある等により通信接続できない場合であっても、管理サーバを介して通信接続を確立することにより、送信元となる他の画像入出力装置とピアツーピア接続を行って共有画像データの送受信を行うことができる。
【手続補正７】
【補正対象書類名】明細書
【補正対象項目名】００７６
【補正方法】変更
【補正の内容】
【００７６】
請求項３記載の発明によれば、管理サーバは、各画像入出力装置から通信接続要求を受信した際に、通信接続要求した画像入出力装置のユーザ認証を行う。従って、セキュリティが確保された画像入出力システムを提供することができる。
請求項４〜２１に記載の発明によれば、各画像入出力装置は、所望の共有画像データを記憶する画像入出力装置と直接ピアツーピア接続を行って、所望の共有画像データを受信したり、所望の共有画像データに基づく印刷出力させたりすることができるので、従来の、管理サーバによる画像データの一括管理時に比べ、管理サーバへの負荷が軽減される。また、通信速度も管理サーバに依存しないですむようになる。また、請求項６、１２、１８に記載の発明によれば、各画像入出力装置は、所望の共有画像データを記憶する画像入出力装置がファイヤーウォール下にある等により通信接続できない場合であっても、管理サーバを介して接続要求を行って、所望の共有画像データを記憶する画像入出力装置とピアツーピア接続を行うことが可能となる。